(57)【要約】      （修正有）【課題】二人での作業を、一人で行う、さらに、正確な、寸法（目盛り）合わせができるマグネット付きコンベックスを提供する。【解決手段】切断機本体７又は、バイス１０に、マグネット付きコンベックス１を、吸着させ、コンベックスの爪５を、材料８にひっかけ、その場にいて、材料を、移動させ、切断刃１１と、巻尺６の切断寸法を、簡単に合わせることができる。【選択図】図３
0003121592.tif 000002
【実用新案登録請求の範囲】
【請求項１】
コンベックス（巻尺）を、手に持たずに、寸法を、測るこができる。
【請求項２】
帯ノコ、３０５．３５５．４０５．切断機・木工機械・アルミ切断機・等、汎用機の、機械本体又は、バイスに、マクネット付コンベックを、吸着させ、切断材に、マクネット付コンベックの爪を、引っ掛けて切断材を、送り込み切断機の刃に、切断寸法を、合わせ材料を、切断する。
【請求項３】
マグネット付きコンベックス（巻尺）を、手に持たずに切断寸法を、合わせる事が出来る。
【考案の詳細な説明】
【技術分野】
【０００１】  本考案は、コンベックにマグネットを、組み込む事によりコンベック本体が大きくなっても、持ち歩く物ではなく、機械本体又は、バイスに、吸着させて、コンベックスを、固定させ、巻尺６を、出し入れする。
【背景技術】
【０００２】出願番号  実用新案出願平４−５３７２９  ワンタッチスケールがあるが、紛失、置き忘れの目的とされる。【０００３】出願番号  実用新案出願平６−１１４８５  磁石付巻尺があるが、安定性のある計測ができる巻尺
【考案の開示】
【考案が解決しようとする課題】
【０００４】  従来、材料切断する時、簡易型切断機には、スケールが付いていない為、従来の、コンベクスを、使用すると、トラブルが、発生し、長い物を、切断する時は、２人掛りで行う、又は、短い物の切断は、一人で切断出来るが、不ぞろいと成り、仕上げに、手間がかかる。
【実施例】
【００１２】    以下、添付図面に従って一実施例を説明する。図１は全体の斜視図である。１は、マグネット付きコンベックス本体を示す、２．３は、側面に強力なマグネットをコンベックスに埋め込み、一般汎用機７のバイス１０に、吸着させコンベックス本体を、固定し、爪５を、材料に引っ掛けて、巻尺６を、出し入れし、下部４は、一般汎用機７の本体に固定する為の強力なマグネット【００１３】  図２は全体の斜視図である。  ４は、真下に強力なマグネットを一般汎用機７の本体に固定する。  ５は、コンベックスの爪を、材料に引っ掛けて、巻尺６を、出し入れし、寸法を、測ることが用意である。【００１３】図３は全体の斜視図である。一般汎用機の本体  ７のバイス  １０に、マグネット付きコンベックス  １を、吸着させ、固定し、切断する、材料８の先端に、巻尺６の爪５を、引っ掛けて、材料８を、移動させ切断寸法（巻尺６）に、一般汎用機の本体  ７の刃物  １１と合わせ、バイス９で挟み、材料８から爪５を、はずし、巻尺６を、マグネット付きコンベックス  １に収納し、切断作業を、行うことを、考案した。
【図１】
0003121592.tif 000003
【図２】
0003121592.tif 000004
【図３】
0003121592.tif 000005
【手続補正書】
【提出日】平成17年7月1日(2005.7.1)
【手続補正１】
【補正対象書類名】実用新案登録請求の範囲
【補正対象項目名】全文
【補正方法】変更
【補正の内容】
【実用新案登録請求の範囲】
【請求項１】
側面と、少なくとも１つの底面に磁石を配したマグネット付きコンベックス
【手続補正２】
【補正対象書類名】明細書
【補正対象項目名】全文
【補正方法】変更
【補正の内容】
【考案の詳細な説明】
【技術分野】
【０００１】    本考案は、コンベックス１にマグネット（強力な磁石）２、  ３を側面に  ４を底面に組み込む事によりコンベックス本体１が大きくなっても、持ち歩く目的ではなく、図３の一般汎用機（切断機）本体７又は、固定バイス１０に、マグネット付きコンベックスの（強力な磁石）２３の側面を吸着させマグネット付きコンベックスを、固定させ、コンベックス（巻尺）１  爪付目盛り付テープ６を、切断したい材料８に先端の爪を引っ掛け爪付目盛り付テープ６を沿わせた切断する材料８を移動させ一般汎用機（切断機）本体７の切断刃１１に切断したい材料８に切断寸法（目盛り）合わせが簡単にでき、マグネット付きコンベックスの（強力な磁石）２、３側面を固定バイス１０の側面に吸着させることにより、作業者の両手が空き、片方の手で切断する材料８に爪付目盛り付テープ６を沿わせていっしに移動し、切断刃１１に切断寸法（目盛り）合わせを行い切断刃１１に切断寸法（目盛り）が合ったとこで切断する材料８と爪付目盛り付テープ６を手で固定しておいて、もう一方の手で一般汎用機（切断機）本体７の移動式バイス９と固定式バイス１０で切断する材料８を挟みしっかり固定し、切断したい材料８の先端に爪を引っ掛けた爪付目盛り付テープ６を切断したい材料８から外すと爪付目盛り付テープ６をコンベックス本体１に収納され切断刃１１に切断したい材料８の切断寸法（目盛り）合わせを、正確にするためのマグネット付きコンベックスに関する考案である。
【背景技術】
【０００２】    出願番号  実用新案出願平４−５３７２９  ワンタッチスケールがあるが、紛失、置き忘れの目的とされる。【０００３】    出願番号  実用新案出願平６−１１４８５  磁石付巻尺があるが、安定性のある計測ができる巻尺
【考案の開示】
【考案が解決しようとする課題】
【０００４】    従来、材料切断する時、一般汎用機（切断機）本体７には、スケールが付いていない為、従来の、コンベクス（巻尺）を、使用すると、切断寸法に寸法誤差が発生し、長い物を切断する時は、２人掛りで切断寸法（目盛り）合わせを行う、又、短い物の切断は、一人で切断出来るが、切断刃１１に切断寸法（目盛り）合わせ難く、切断刃１１に切断寸法（目盛り）合わせ用としても、爪付目盛り付テープ６の爪が切断したい材料８から外れてコンベクス（巻尺）に収納され、又コンベクス（巻尺）内のスプリングの力により爪付目盛り付テープ６が収納（縮まる）されるなど一人で切断寸法（目盛り）合わせが大変であり何とか切断刃１１に切断寸法（目盛り）合わせが出来たとして、片方の手で爪付目盛り付テープ６と切断したい材料８を手で固定させ、もう片方の手で一般汎用機（切断機）本体７の移動式バイス９と固定式バイス１０で切断したい材料８を挟み、しっかり固定しなければならず、その際に微動がしょうじ再度切断寸法（目盛り）確認をしなければならない。【０００５】    従来の、コンベクス（巻尺）を、手に持たずに切断刃１１に切断する材料８の切断寸法（目盛り）合わせは、出来ないのかと考えた。【０００６】  本考案は、従来の問題点を、解決するもので、二人での作業を、一人で行う、さらに、正確な、寸法（目盛り）合わせを、出来ないのかと考えた。
【課題を解決するための手段】
【０００７】  側面と、少なくとも１つの底面に磁石を配したマグネット付きコンベックスを考案した。
【考案の効果】
【０００８】  本考案は、コンベックスにマグネット（強力な磁石）を、組み込む事によりコンベックス本体が大きくなっても、持ち歩く目的ではなく、図３の一般汎用機（切断機）本体７又は、  バイス１０に、マグネット（強力な磁石）２  ３吸着させて、コンベックスを、固定させ、  コンベックス（巻尺）１  爪付目盛り付テープ６を、切断したい材料８の先端に爪を掛け材料５を移動させ機械本体７の切断刃１１に切断寸法（目盛り）合わせが簡単にできる提案。【０００９】    高級な機械（切断機）には、スケール付きは、有りますが、一般汎用機（切断機）には、スケール付きは無く、一般汎用機（切断機）にスケールを付け様と調べるとデジタルスケールしかなくデジタルスケールは、高価で，長さもいろいろ有るが一般汎用機（切断機）本体の価格を超えるものもあり装着できない。そこで、マグネット付きコンベックスを、使用する事により、安価で簡単に効率よく正確な作業が出来る事の考案である。
【考案を実施するための最良の形態】
【００１０】    コンベックス１にマグネット（強力な磁石）２、  ３を組み込む事によりコンベックス１本体が大きくなっても、持ち歩く目的ではなく一般汎用機（切断機）本体７又は、固定バイス１０に、マグネット付きコンベックス１のマグネット（強力な磁石）２、  ３を吸着させて固定し、一般汎用機（切断機）の切断したい材料によっては、マグネット付きコンベックス（強力な磁石）２  ３  によって縦に使用するか、横に使用するか、使用目的に合わせて選択できる。【００１１】    コンベックス１にマグネット（強力な磁石）４を、組み込む事によりコンベックス１本体が大きくなっても、持ち歩く目的ではなく大きな材料を切断する時にはコンベックス１にマグネット（強力な磁石）４を、大きな材料に直接底面を吸着させてコンベックス（巻尺）１  爪付目盛り付テープ６を、切断したい材料５の先端に爪を引っ掛け切断する材料５に爪付目盛り付テープ６を沿わせて移動させ一般汎用機（切断機）本体７の切断刃１１に切断寸法（目盛り）合わせが簡単に出来る考案である。
【実施例】
【００１２】    以下、添付図面に従って一実施例を説明する。図１は全体の斜視図である。１は、マグネット付きコンベックス本体を示す、２．３は、側面に強力なマグネットをコンベックスに組み込む、一般汎用機（切断機）本体７又は、固定バイス１０に、マグネット付きコンベックスのマグネット（強力な磁石）２、  ３側面を吸着させコンベックス本体１を、固定し、爪付目盛り付テープの爪５を、切断したい材料８に引っ掛けて爪付目盛り付テープ（巻尺）６を、切断したい材料８に沿わせて一緒に移動させ一般汎用機（切断機）本体７の切断刃１１に切断寸法（目盛り）合わせが簡単にでき大きい材料の時はマグネット付きコンベックス１を固定バイス１０から取り外しが簡単に出来、コンベックスをビスドメにすると取り外しが不可能になる。【００１３】    図２は全体の斜視図である。  ４は、低面に強力なマグネットを一般汎用機（切断機）本体７の本体に固定する。  爪付目盛り付テープ６の爪５は、切断したい材料８に引っ掛けて、爪付目盛り付テープ（巻尺）６を、切断したい材料８に沿わせ一緒に移動させ一般汎用機（切断機）本体７の切断刃１１に切断寸法（目盛り）合わせが簡単にできる。【００１４】    図３は全体の斜視図である。一般汎用機（切断機）本体７の固定バイス１０に、マグネット付きコンベックス１の（強力な磁石）２、  ３  側面を吸着させ、マグネット付きコンベックス１の（強力な磁石）を固定し、切断したい材料８の先端に、爪付目盛り付テープ（巻尺）６の爪５を引っ掛けて、切断したい材料８に沿わせ一緒に移動させ一般汎用機（切断機）本体７の切断刃１１に切断したい材料８に沿わせた爪付目盛り付テープ（巻尺）６に切断寸法の目盛りと合わせ、移動バイス９を移動させ固定バイス１０で挟み、切断したい材料８を固定し切断したい材料８から爪５を外し、爪付目盛り付テープ（巻尺）６を、マグネット付きコンベックス１に収納し、切断作業を行う、マグネット付きコンベックス１を固定バイス１０に、マグネット付きコンベックス１の（強力な磁石）２、  ３  側面を吸着させることにより、作業者の両手が空き、片方の手で爪付目盛り付テープ（巻尺）６を沿わせた切断したい材料８の移動と、もう一方の手で一般汎用機（切断機）本体７の移動バイス９を移動させ固定バイス１０で切断したい材料８を挟み、しっかり固定され切断寸法（目盛り）合わせが簡単にできる。
【図面の簡単な説明】
【００１５】
【図１】マクネット付コンベックスの側面、全体の斜視図である。
【図２】マクネット付コンベックスの低面、全体の斜視図である。
【図３】一般汎用機（切断機）本体７に、マクネット付コンベックス１を、一般汎用機（切断機）本体７の固定バイス１０にマクネット付きコンベックス１（強力な磁石）２  ３側面を吸着させ切断したい材料８に爪付目盛り付テープ６を沿わせ、先端に爪５を引っ掛け一般汎用機（切断機）本体７の切断刃１１に切断したい材料８に爪付目盛り付テープ６を沿わせ物と切断寸法（目盛り）合わせ一般汎用機（切断機）本体７の移動バイス９  固定バイス１０で切断したい材料８を挟み、しっかり固定され切断寸法（目盛り）合わせが簡単にできる。
【符号の説明】
【００１６】  １    マクネット付コンベックス本体
２    側面に組み込むんだ（強力な磁石）
３    側面に組み込むんだ（強力な磁石）
４    底面に組み込むんだ（強力な磁石）
５    爪
６    爪付目盛り付テープ
７    一般汎用機（切断機）本体
８    切断したい材料
９    移動式バイス
１０  固定バイス
１１  切断刃
【手続補正３】
【補正対象書類名】図面
【補正対象項目名】全図
【補正方法】変更
【補正の内容】
【図１】
0003121592.tif 000006
【図２】
0003121592.tif 000007
【図３】
0003121592.tif 000008